(57)【要約】【課題】付け睫毛の根本を点描で着色するための液状化粧品塗布具を提供する。【解決手段】付け睫毛の根本を点描で着色する液状化粧品塗布具１１であって、該液状化粧品塗布具１１は、内部に中綿１３が収納される筒状の塗布具本体１２と、該塗布具本体１２の先端部１２ａに嵌め込むノーズピース１４と、該ノーズピース１４に設けられる塗布部材１５とを少なくとも有し、該塗布部材１５は、ノーズピース１４の貫通孔２２に保持される保持部２３と、ノーズピース１４から外部に突出する突出部２４とが一体成形され、該突出部２４の端部側には、三ツ股部２５が形成され、該三ツ股部２５の先端部２６は、球面状に形成されている。【選択図】図１
2012100968.tif 000002
【特許請求の範囲】
【請求項１】
付け睫毛の根本を点描で着色する液状化粧品塗布具であって、
該液状化粧品塗布具は、内部に中綿又は液状化粧品が収納される筒状の塗布具本体と、該塗布具本体の先端部に嵌め込むノーズピースと、該ノーズピースに設けられる塗布部材とを少なくとも有し、
該塗布部材は、前記ノーズピースの貫通孔に保持される保持部と、前記ノーズピースから外部に突出する突出部とが一体成形され、
該突出部の端部側には、二股部、三ツ股部または複数股部が形成され、
該二股部、三ツ股部または複数股部の先端部は、球面状に形成されていること
を特徴とする液状化粧品塗布具。
【請求項２】
前記二股部、三ツ股部または複数股部の複数の先端部が、同一位置にまたは段差をもって形成されていること
を特徴とする請求項１に記載の液状化粧品塗布具。
【請求項３】
前記塗布部材は、合成樹脂材の粉末を金型で加熱して一体成形し、当該塗布部材の内部に連続気泡が形成されて毛細管現象により液体を吸い上げ可能な構成であること
を特徴とする請求項１に記載の液状化粧品塗布具。
【請求項４】
前記塗布部材は、焼結加工が成されていること
を特徴とする請求項１に記載の液状化粧品塗布具。
【発明の詳細な説明】
【技術分野】
【０００１】
本発明は、付け睫毛の根本を点描で着色するための液状化粧品塗布具に関するものである。
【背景技術】
【０００２】
従来の液状化粧品塗布具としては、次のような構成のものが知られている。この液状化粧品塗布具は、筒状の塗布具本体と、塗布具本体の内部に収納される中綿と、塗布具本体の先端部に嵌め込むノーズピースと、ノーズピースに集束される筆先と、塗布具本体の先端部を施蓋するキャップと、塗布具本体の後端部を閉塞する尾栓とから構成される（特許文献１参照）。
【０００３】
筆先の基部には、中継芯が設けられており、中継芯の基部側が中綿に挿入されている。このように、中綿と筆先との間に中継芯が介在することで、中綿に含浸された液状化粧品が中継芯を経て筆先に流出する。
【０００４】
このような構成の液状化粧品塗布具は、筆先の先端部が先細に形成されているので、アイライナーとして使用した場合には、細いアイラインを引けることとなる。
【０００５】
ところで、瞼に付け睫毛を付けた際の化粧手法として、付け睫毛の根本をアイライナー等でツンツンと突いて点描で着色し、瞳をクッキリと美しく見せる化粧方法が一般に行われている。
【先行技術文献】
【特許文献】
【０００６】
【特許文献１】特開２００６−２９６９３６号公報
【発明の概要】
【発明が解決しようとする課題】
【０００７】
従来例の液状化粧品塗布具においては、細いアイラインを引くのには適するが、その反面、付け睫毛の根本を点描で着色する作業には適さない。つまり、付け睫毛の根本を着色する場合は、筆先の先端部を繰り返して押し付ける必要があるので、その作業が繁雑である。また、先細の先端部で繰り返し点描を行うと、描線が不均一でムラに描かれるという問題点を有している。
【０００８】
従って、従来例における液状化粧品塗布具においては、付け睫毛の根本を点描で着色する作業を素早く行うと共に、均一でムラのない着色をすることに解決しなければならない課題を有している。
【課題を解決するための手段】
【０００９】
前記従来例の課題を解決するための本発明の要旨は、付け睫毛の根本を点描で着色する液状化粧品塗布具であって、該液状化粧品塗布具は、内部に中綿又は液状化粧品が収納される筒状の塗布具本体と、該塗布具本体の先端部に嵌め込むノーズピースと、該ノーズピースに設けられる塗布部材とを少なくとも有し、該塗布部材は、前記ノーズピースの貫通孔に保持される保持部と、前記ノーズピースから外部に突出する突出部とが一体成形され、該突出部の端部側には、二股部、三ツ股部または複数股部が形成され、該二股部、三ツ股部または複数股部の先端部は、球面状に形成されていることである。
【００１０】
また、前記二股部、三ツ股部または複数股部の複数の先端部が、同一位置にまたは段差をもって形成されていること、；
前記塗布部材は、合成樹脂材の粉末を金型で加熱して一体成形し、当該塗布部材の内部に連続気泡が形成されて毛細管現象により液体を吸い上げ可能な構成であること、；
前記塗布部材は、焼結加工が成されていること、；
を含むものである。
【発明の効果】
【００１１】
本発明に係る液状化粧品塗布具によれば、股部に複数箇所の先端部を備えるので、股部の先端部で、付け睫毛の根本をツンツンと突いて点描で埋める（着色する）作業が素早く行え、しかも均一でムラのない美しい着色をすることができる。
特に、股部の先端部が球面状に形成されているので、点描で着色する描線を、均一でムラなく描けるだけでなく、押圧力を変えることで自在な幅に描けることとなる。従って、化粧の初心者であっても、また、プロであっても、瞳をクッキリと美しく見せることが容易にできるという優れた効果を奏する。
【００１２】
二股部、三ツ股部または複数股部の複数の先端部が、同一位置にまたは段差をもって形成されていることによって、股部の複数の先端部が同一位置であれば、液状化粧品塗布具を垂直にして作業ができる。また、股部の複数の先端部が段差状態であれば、液状化粧品塗布具を傾けて作業ができるという優れた効果を奏する。
【００１３】
塗布部材は、合成樹脂材の粉末を金型で加熱して一体成形し、当該塗布部材の内部に連続気泡が形成されて毛細管現象により液体を吸い上げ可能な構成であり、また、塗布部材は、焼結加工が成されていることによって、塗布部材を金型で一体成形するので、寸法精度が高く、品質のバラツキが無く、大量生産が可能であり、製造コストを低く抑えることができて、安価な製品を提供できる。そして、塗布部材を既存のノーズピースに挿着して塗布具本体にセットできる。
更に、塗布部材の内部に連続気泡が形成されているので、毛細管現象により液体を吸い上げる作用が良好であるという種々の優れた効果を奏する。
【図面の簡単な説明】
【００１４】
【図１】本発明に係る液状化粧品塗布具１１の断面図である。
【図２】塗布部材１５の正面図である。
【図３】塗布部材１５の平面図である。
【図４】塗布部材１５の右側面図である。
【図５】塗布部材１５の左側面図である。
【図６】図２のＡーＡ線断面図である。
【図７】図２のＢーＢ線断面図である。
【図８】図２のＣーＣ線断面図である。
【図９】第２実施例の塗布部材２７の正面図である。
【発明を実施するための形態】
【００１５】
次に、本発明の実施の形態について図面を参照しながら説明する。まず、図１において、符号１１は液状化粧品塗布具を示し、この液状化粧品塗布具１１は、筒状の塗布具本体１２と、塗布具本体１２の内部に収納される中綿１３と、塗布具本体１２の先端部１２ａに嵌め込むノーズピース１４と、ノーズピース１４に設けられる塗布部材１５とから構成される。
【００１６】
塗布具本体１２は、先端部１２ａ及び後端部１２ｂが開口して筒状に形成されている。そして、先端部１２ａ側には、周方向に沿って段部１６が形成されており、この段部１６に図示しないキャップが当接するようになっている。また、後端部１２ｂは、尾栓１７で閉塞されている。
【００１７】
中綿１３は、略円柱状に形成されて、塗布具本体１２の内部に収納されており、この中綿１３にアイライナー液等の液状化粧品が含浸している。また、中綿１３の後端部には、リング状のアジャスター１８が収納されており、このアジャスター１８で中綿１３を固定状態に保持している。
なお、塗布具本体１２の内部は、中綿１３を収納しないで、液状化粧品を直接収納するタイプの構造であってもよい。
【００１８】
ノーズピース１２は、その中心部に長さ方向に沿った貫通孔２２が形成されている。ノーズピース１２の先端側にはテーパー状部１９が設けられている。テーパー状部１９の後部には、周方向に沿って段部２０が形成されており、この段部２０に塗布具本体１２の先端部１２ａが当接する。段部２０の後部には、筒部２１が延設されており、筒部２１を塗布具本体１２の先端部１２ａから圧着状態に嵌め込んでいる。
【００１９】
塗布部材１５は、ノーズピース１４の貫通孔２２に保持される保持部２３と、ノーズピース１４から外部に突出する突出部２４とが一体成形されている。保持部２３の基部２３ａ側におけるテーパー部２３ｂが中綿１３に挿入している。従って、中綿１３に含浸された液状化粧品が保持部２３を経て突出部２４に流出する。
なお、保持部２３は、図２及び図４に示すように、略円柱状に形成されている。
【００２０】
突出部２４は、図２、図６から図８に示すように、端部側に行くに連れて分岐状態になっている。突出部２４の途中には、図７に示すような３つの（複数の）膨出部２９、２９、２９が形成されるされており、端部側に３つに（複数に）分岐した三ツ股部（股部）２５が形成されている。
なお、端部側の股部は、三ツ股部２５に替えて、２つに分岐した二股部、あるいは４つ以上に分岐した複数股部であってもよい（何れも図示せず）。
【００２１】
三ツ股部２５（二股部あるいは複数股部）の先端部２６は、図２、図３及び図５に示すように、略球面状に形成されている。また、三ツ股部２５部の各先端部２６、２６、２６は、同一位置に形成されている。
【００２２】
塗布部材１５は、ポリエチレン等の合成樹脂材の粉末を金型に入れて加熱して一体成形される。即ち、塗布部材１５は、焼結加工が成されている。塗布部材１５は、このような方法で製造されるので、寸法精度が高く、品質のバラツキが無く、大量生産が可能であり、製造コストを低く抑えることができて、安価な製品を提供できる。
また、塗布部材１５の内部には、連続気泡が形成されており、毛細管現象により液体を吸い上げる作用が良好である。
【００２３】
以上のように構成される液状化粧品塗布具１１は、三ツ股部２５の３箇所の先端部２６で、付け睫毛の根本をツンツンと突いて点描で埋める（着色する）ので、その着色作業が素早く行え、しかも均一でムラのない美しい着色をすることができる。
【００２４】
特に、三ツ股部２５の先端部２６が略球面状に形成されているので、点描で着色する描線を、均一でムラなく描けるだけでなく、押圧力を変えることで自在な幅に描くことができる。つまり、従来例の筆先で描いたような繁雑さや、不均一でムラのある着色が生じない。従って、化粧の初心者であっても、また、化粧のプロであっても、瞳をクッキリと美しく見せることが容易にできるのである。
【００２５】
次に、塗布部材１５の第２実施例について図９に示す。この第２実施例の塗布部材２７において、第１実施例の塗布部材１５と同一部分には同一符号を付してその詳細は省略する。
【００２６】
この塗布部材２７は、各先端部２８、２８、２８が、それぞれ段差をもって形成されている。従って、液状化粧品塗布具１１を傾けて作業ができることとなる。
【符号の説明】
【００２７】
１１  液状化粧品塗布具
１２  塗布具本体
１２ａ  先端部
１２ｂ  後端部
１３  中綿
１４  ノーズピース
１５  塗布部材
１６  段部
１７  尾栓
１８  アジャスター
１９  テーパー状部
２０  段部
２１  筒部
２２  貫通孔
２３  保持部
２３ａ  基部
２３ｂ  テーパー部
２４  突出部
２５  三ツ股部（股部）
２６  先端部
２７  塗布部材
２８  先端部
２９  膨出部
【図１】
2012100968.tif 000003
【図２】
2012100968.tif 000004
【図３】
2012100968.tif 000005
【図４】
2012100968.tif 000006
【図５】
2012100968.tif 000007
【図６】
2012100968.tif 000008
【図７】
2012100968.tif 000009
【図８】
2012100968.tif 000010
【図９】
2012100968.tif 000011